(57)【特許請求の範囲】
【請求項１】
第１番目の根元部側から第ｎ番目（ｎは３以上の自然数。）の先端部側へ向けて順次に分離可能に嵌め込まれて成るｎ個の棒状パーツを備える棒状体であって、
（１）  第（ｋ−１）番目（２≦ｋ≦（ｎ−１）の整数。）の棒状パーツは、第ｋ番目の棒状パーツとの結合部である第１開孔径の非貫通の第１開孔部が配設されている一端部を有しており、
（２）  第ｋ番目の棒状パーツは、
前記第（ｋ−１）番目の棒状パーツの前記第１開孔部に嵌合可能な第１外径を有する一端部と、
前記第１外径より大きな第２外径を有し且つ前記第１外径と同一寸法の第２開孔径の非貫通の第２開孔部が配設されている他端部とを有しており、
（３）  第（ｋ＋１）番目の棒状パーツは、
前記第ｋ番目の棒状パーツの前記第２開孔部に嵌合可能な第３外径を有する一端部を有することを特徴とする、棒状体。
【請求項２】
第１番目の根元部側から第ｎ番目（ｎは３以上の自然数。）の先端部側へ向けて順次に分離可能に嵌め込まれて成るｎ個の棒状パーツを備える棒状体であって、
（１）  第（ｋ−１）番目（２≦ｋ≦（ｎー１）の整数。）の棒状パーツは、第１外径の一端部を有しており、
（２）  第ｋ番目の棒状パーツは、前記第１外径より大きな第２外径を有し且つ前記第（ｋ−１）番目の棒状パーツの前記一端部が嵌合可能に前記第１外径と同一寸法の第１開孔径の非貫通の第１開孔部が配設されている一端部と、
前記第２外径より大きな第３外径を有し且つ前記第１開孔径より大きな第２開孔径の非貫通の第２開孔部が配設されている他端部とを有しているおり、
（３）  第（ｋ＋１）番目の棒状パーツは、前記第ｋ番目の棒状パーツの前記第２開孔部に嵌合可能に前記第２開孔径と同一寸法の第４外径を有し且つ前記第（ｋ−１）番目の棒状パーツの前記一端部が嵌合に可能に前記第１外径と同一寸法の第３開孔径の非貫通の第３開孔部が配設されている一端部を有することを特徴とする、棒状体。
【請求項３】
第１番目の根元部側から第ｎ番目（ｎは３以上の自然数。）の先端部側へ向けて順次に分離可能に嵌め込まれて成るｎ個の棒状パーツを備える棒状体であって、
（１）  第（ｋ−１）番目（２≦ｋ≦（ｎー１）の整数。）の棒状パーツは、第１開孔径の非貫通の第１開孔部が配設されている第１外径の一端部を有しており、
（２）  第ｋ番目の棒状パーツは、
前記第１外径より大きな第２外径を有し且つ前記第（ｋ−１）番目の棒状パーツの前記一端部が嵌合可能に前記第１外径と同一寸法の第２開孔径の非貫通の第２開孔部が配設されている一端部と、
前記第２外径より小さく且つ前記第１開孔径よりも大きな第３外径を有すると共に、前記第１開孔径と同一寸法の第３開孔径の非貫通の第３開孔部が配設されている他端部とを有しており、
（３）  第（ｋ＋１）番目の棒状パーツは、
前記第ｋ番目の棒状パーツの前記第３開孔部に嵌合可能に前記第３開孔径と同一寸法の第４外径を有する一端部を、有することを特徴とする、棒状体。
【請求項４】
請求項１乃至３の何れか１項に記載の棒状体であって、前記棒状体は釣竿であることを特徴とする、棒状体。
【発明の詳細な説明】
【技術分野】
【０００１】
この発明は、長さ調整可能で強固な、釣竿或いは家具の部品等の棒状体に関する。
【背景技術】
【０００２】
渓流釣り又は磯釣り等の様に、場所を移動しながら釣りを行う場合には、移動した場所毎に釣り糸を投げ込む場所（ポイント）の位置が異なるために釣竿の長さが足りなくなる場合が生じ、或いは、逆に、移動した場所に於いて釣竿を振ろうとした際に当該釣竿が周辺の樹木等の障害物に接触するという場合が生じる。
【０００３】
その様な場合に対処可能とするために、釣竿の長さを臨機応変に調整可能な構造を備えた釣竿が、従前より実現されている（例えば特許文献１参照。）。
【先行技術文献】
【特許文献】
【０００４】
【特許文献１】特開２００９−１５３４９３号公報
【発明の概要】
【発明が解決しようとする課題】
【０００５】
従来の長さ調整可能な釣竿は、一般的に、「振出し（式）釣竿」と呼ばれるものであって、開口の一端部から非貫通の他端部に向けて内部が空洞・中空となっている各ピース（竿管）が順次に対応するピースに嵌め込まれている構造により、釣竿の長さ調整を可能とするものである。
【０００６】
この様に、「振出し釣竿」に於いては、各ピースの内部が空洞・中空の構造を有するために、次の様な諸問題点が発生し得る。
【０００７】
即ち、釣り人が、釣竿の各ピースを引き出して、より長い釣竿を準備した上で、当該釣竿を勢い良く遠方のポイントに向けて振ると、釣竿の竿部分が撓って変形してしまい、思い通りの場所へ釣り糸の先端をタイミング良く到達させることが出来ないという問題点が生じる。この様な問題点に対処するために、釣り人は、釣竿を振り投げた後に、釣り糸が流れ出る様にするべく、直ぐにリールを回す動作を行わなければならず、斯かる動作を釣竿の振り投げ動作に応じて行うことは容易ではない。
【０００８】
しかも、大きな魚を釣り上げる場合には、釣竿の元竿部分乃至は根元部分から約５０ｃｍ〜６０ｃｍまでの部分が空洞構造となっていると、釣竿の竿がしなって変形し易くなり、その結果、釣り糸とリールのみで当該魚を釣り上げる状態が発生してしまし、ひいては、釣り糸が切れてしまって当該魚を取り逃がしてしまう場合も生じてしまう。或いは、その様な状態に於いては、釣竿の竿部分が変形の度合いによって折曲がる等の、釣竿の破損が発生することも懸念される。
【０００９】
そのため、長さが調整された後の釣竿を振り投げても、又は、大きな魚を釣り上げる場合に於いても、竿部分が撓りにより変形或いは破損してしまうことが無い、強固な構造を備えた、長さ調整可能な釣竿の実現が要望されるところである。この点は、リールを備えた投げ釣竿のみならず、通常の釣竿に於いても妥当する要望である。
【００１０】
しかも、この様な要望は、長さ可変な釣竿について特有なものではなく、例えば洗濯竿・テーブルの足部分等の家具の部品の様に、長さ調整と変形・折れ曲がらない頑丈さとが共に求められる棒状の物（「棒状体」という。）一般について妥当するものである。
【００１１】
以上の通り、斯かる要望を実現し得る棒状体の実現が問題点となる。
【００１２】
この発明は、以上の問題点に鑑みて成されたものであり、その主目的は、容易に長さを調整出来ると共に、撓りや折れ曲がり等の変形又は破損が生じることの無い強固で安定した構造を備えた棒状体を実現する点にある。
【課題を解決するための手段】
【００１３】
本発明の主題に係る棒状体は、第１番目の根元部側から第ｎ番目（ｎは３以上の自然数。）の先端部側へ向けて順次に分離可能に嵌め込まれて成るｎ個の棒状パーツを備える棒状体であって、（１）  第（ｋ−１）番目（２≦ｋ≦（ｎ−１）の整数。）の棒状パーツは、第ｋ番目の棒状パーツとの結合部である第１開孔径の非貫通の第１開孔部が配設されている一端部を有しており、（２）  第ｋ番目の棒状パーツは、前記第（ｋ−１）番目の棒状パーツの前記第１開孔部に嵌合可能な第１外径を有する一端部と、前記第１外径より大きな第２外径を有し且つ前記第１外径と同一寸法の第２開孔径の非貫通の第２開孔部が配設されている他端部とを有しており、（３）  第（ｋ+１）番目の棒状パーツは、前記第ｋ番目の棒状パーツの前記第２開孔部に嵌合可能な第３外径を有する一端部を有することを、特徴とする。
【発明の効果】
【００１４】
本発明の主題によれば、棒状体は、各々が非空洞乃至は非貫通状態にあるｎ個の棒状パーツを分離可能に嵌合により繋ぎ合せて構成されるので、斯かる場合に、振り動作又は押圧等の人が加える力によって棒状体が撓り或いは折れ曲がって変形又は破損することは無く、強固且つ安定な形状を有する棒状体を実現することが出来る。
【００１５】
しかも、第ｋ番目の棒状パーツを棒状体から取り除いても、第（ｋ−１）番目の棒状パーツの第１開孔部に第（ｋ+１）番目の棒状パーツの一端部を嵌合することが可能であり、これにより、長さがより短い棒状体を容易に且つ素早く実現することが出来る。逆に、第ｋ番目の棒状パーツを棒状体に取り付ける場合に於いて、当該第ｋ番目の棒状パーツとして長さの異なる複数の棒状パーツを予め用意しておくならば、それらの中から第ｋ番目の棒状パーツを選択・使用することで、長さの異なる、比較的に長い棒状体を容易に且つ素早く構成することが出来る。この様に、本発明の主題によれば、場所又は状況等に応じて、容易に且つ臨機応変に長さを調整出来る棒状体を実現することが出来る。
【００１６】
以下、本発明の様々な具体化を、添付図面を基に、その効果・利点と共に、詳述する。
【図面の簡単な説明】
【００１７】
【図１】本発明の実施の形態１に係る、棒状体としての釣竿の構造を模式的に示す縦断面図である。
【図２】本発明の実施の形態２に係る、棒状体としての釣竿の構造を模式的に示す縦断面図である。
【図３】本発明の実施の形態３に係る、棒状体としての釣竿の構造を模式的に示す縦断面図である。
【図４】本発明の実施の形態１に係る釣竿の第２番目の棒状パーツ（第２番目のピース）を釣竿の竿立ての一部品として使用する場合に於ける、当該竿立ての構造を模式的に示す縦断面図である。
【発明を実施するための形態】
【００１８】
（実施の形態１）
【００１９】
本実施の形態に係る棒状体は、その一例として、釣竿である。即ち、本実施の形態に係る釣竿は、第１番目の根元部（元竿）側から第ｎ番目（ｎは３以上の自然数。）の釣竿先端部側へ向けて順次に分離可能に嵌め込まれて成るｎ個の棒状パーツを備えている。そして、構造上特筆すべき点として、第（ｋ−１）番目（２≦ｋ≦（ｎ−１）の整数。）の棒状パーツは、第ｋ番目の棒状パーツとの結合部である第１開孔径の非貫通の第１開孔部が配設されている一端部を有している。更に、第ｋ番目の棒状パーツは、第（ｋ−１）番目の棒状パーツの第１開孔部に嵌合可能な第１外径を有する一端部と、第１外径より大きな第２外径を有し且つ第１外径と同一寸法の第２開孔径の非貫通の第２開孔部が配設されている他端部とを、有する。更に、第（ｋ+１）番目の棒状パーツは、第ｋ番目の棒状パーツの第２開孔部に嵌合可能な、第３外径を有する一端部を有する。以下、これらの特筆点を、図面に基づき、詳述する。
【００２０】
図１は、本実施の形態に係る釣竿１の構造を模式的に示す縦断面図である。図１に示される釣竿１は、上記の一般化した記載との関連では、ｎ＝４及びｋ＝２の場合に該当する。即ち、第（ｋ−１）番目の棒状パーツは第１番目の棒状パーツＰ１に該当し、第ｋ番目の棒状パーツは第２番目の棒状パーツＰ２に該当し、第（ｋ+１）番目の棒状パーツは第３番目の棒状パーツＰ３に該当する。
【００２１】
図１に於いて、第１番目の棒状パーツＰ１の一端部Ｐ１Ａには、第２番目の棒状パーツＰ２との結合部を成す、第１開孔径ＨＤ１の非貫通の第１開孔部Ｈ１が配設されている。この円柱状の一端部Ｐ１Ａの外径は直径Ｄ１である。他方、第１番目の棒状パーツＰ１の円柱状の他端部Ｐ１Ｂには、開孔部は何ら配設されてはおらず、他端部Ｐ１Ｂの外径は直径Ｄ０である。そして、図１に例示される様に、第１番目の棒状パーツＰ１の他端部Ｐ１Ｂ寄りの側面上には、釣り糸用のリール２が配設されている。尚、釣り糸は、図示の便宜上、表示されてはいない。
【００２２】
これに対して、中核的な第２番目の棒状パーツＰ２の円柱状の一端部Ｐ２Ａの外形（第１外径に該当。）は、直径Ｄ２（＜直径Ｄ１）であり、一端部Ｐ２Ａの一部は、第１番目の棒状パーツＰ１の第１開孔部Ｈ１に離脱可能に嵌合されている。他方、第２番目の棒状パーツＰ２の円柱状の他端部Ｐ２Ｂの外形（第２外径に該当。）Ｄ３は、一端部Ｐ２Ａの外形Ｄ２よりも大きい（Ｄ３＞Ｄ２）。図１の例では、Ｄ１＝Ｄ３として設定されているが、Ｄ３＞Ｄ１であっても良い。そして、第２番目の棒状パーツＰ２の他端部Ｐ２Ｂには、一端部Ｐ２Ａの外形Ｄ２と同一寸法の第２開孔径ＨＤ２を有する、非貫通の第２開孔部Ｈ２が配設されている。この第２番目の棒状パーツＰ２の、釣竿１の長手方向に於ける長さ寸法は、長さＬ１である。
【００２３】
又、第３番目の棒状パーツＰ３の円柱状の一端部Ｐ３Ａの一部は、第２番目の棒状パーツＰ２の第２開孔部Ｈ２に離脱可能に嵌合されており、一端部Ｐ３Ａの外形（第３外径に該当。）は、第２開孔径ＨＤ２と同一寸法の直径Ｄ４である。そして、第３番目の棒状パーツＰ３の円柱状の他端部Ｐ３Ｂには、第２番目の棒状パーツＰ２の他端部Ｐ２Ｂと同様に、第３開孔部Ｈ３が配設されており、第３開孔部Ｈ３内に、第４番目の棒状パーツＰ４の円柱状の一端部Ｐ４Ａの一部が、離脱可能に嵌合されている。この第４番目の棒状パーツＰ４の円柱状の他端部Ｐ４Ｂの先端部が、釣竿１の先端部を成す。
【００２４】
図１に示される様に、釣竿１の長手方向の寸法は、長さ１Ｌである。そして、第２番目の棒状パーツＰ２は、予め長さＬが種々の値から設定されて成る複数個の棒状パーツ群の中から、釣り人により、釣竿１の使用時に選択される。その結果、長さＬが相互に頃なる複数の第２番目の棒状パーツ群の中からの第２番目の棒状パーツＰ２の選択・使用の状況に応じて、釣竿１の長さ１Ｌは、その都度、調整される。
【００２５】
図１の状態に於いて、釣り人が、第２番目の棒状パーツＰ２を抜き取る場合を考える。この場合には、ＨＤ１＝Ｄ４の関係が成立するので、釣り人は、第３番目の棒状パーツＰ３の一端部Ｐ３Ａの一部を、第１番目の棒状パーツＰ１の一端部Ｐ１Ａの第１開孔部Ｈ１内に着脱可能に嵌合することが出来る。この第３番目の棒状パーツＰ３の一端部Ｐ３Ａと第１番目の棒状パーツＰ１の一端部Ｐ１Ａとの嵌合・結合により、釣竿１の長さ１Ｌは、当初の釣竿１の長さよりも短い長さ寸法に、調整・設定される。
【００２６】
従って、釣り人は、渓流釣り等を行っている場合に、移動場所毎に釣り糸を垂らす先のポイントまでの距離に応じて、釣り竿１の長さを容易に且つ素早く的確に調整することが出来る。しかも、釣竿１の各棒状パーツＰ１〜Ｐ４が空洞体では無いので、釣り人が釣竿１の長さを比較的に長く調整して使用しても、釣竿１の振り投げ時に釣竿１自体に撓りが生ぜず、その結果、釣り人はポイントへ向けて釣り糸を遠方へと飛ばすことが出来る。加えて、各棒状パーツＰ１〜Ｐ４が空洞体で無い事の更なる効果として、釣り人が比較的大きな魚を釣り上げる時に、釣竿１の元竿側部分が空洞体では無いので、釣竿１に撓りが生じない結果、リールと釣り糸だけで当該魚を釣り上げる状態を防止して、当該釣り糸を切らすことなく且つ釣竿１自体を破損させること無く、確実に当該大きな魚を釣り上げることが出来る。この様に、釣竿１により、臨機応変に長さ調整が可能な、強固な釣竿を確実に実現することが出来る。
【００２７】
尚、図１の一例に於いて、各外径の長さ寸法の一例を、参考として示せば、次の通りである。即ち、Ｄ０＝５ｃｍ、Ｄ１＝４ｃｍ、Ｄ２＝３ｃｍ、Ｄ３＝４ｃｍ、Ｄ４＝３ｃｍ、（第３番目の棒状パーツＰ３の他端部Ｐ３Ｂの外径）＝２ｃｍ、（第４番目の棒状パーツＰ４の一端部Ｐ４Ａの外径）＝１ｃｍ、及び、（同パーツＰ４の他端部Ｐ４Ｂの外径）＝０．５ｃｍである。この様に、当該一例に於いては、隣り合う外径同士間には、１ｃｍの長さの相違が、設定されている。
【００２８】
（実施の形態２）
本実施の形態に係る棒状体も、その一例として、釣竿である。即ち、本実施の形態に係る釣竿は、第１番目の根元部（元竿）側から第ｎ番目（ｎは３以上の自然数。）の釣竿先端部側へ向けて順次に分離可能に嵌め込まれて成るｎ個の棒状パーツを備えている。そして、第（ｋ−１）番目（２≦ｋ≦（ｎ−１）の整数。）の棒状パーツは、第１外径の一端部を有している。更に、第ｋ番目の棒状パーツは、第１外径より大きな第２外径を有し且つ第（ｋ−１）番目の棒状パーツの一端部が嵌合可能に第１外径と同一寸法の第１開孔径の非貫通の第１開孔部が配設されている一端部と、第２外径より大きな第３外径を有し且つ第１開孔径より大きな第２開孔径の非貫通の第２開孔部が配設されている他端部とを、有する。更に、第（ｋ+１）番目の棒状パーツは、第ｋ番目の棒状パーツの第２開孔部に嵌合可能に第２開孔径と同一寸法の第４外径を有し且つ第（ｋ−１）番目の棒状パーツの一端部が嵌合に可能に第１外径と同一寸法の第３開孔径の非貫通の第３開孔部が配設されている一端部を有する。以下、これらの構造の特徴点を、図面に基づき、詳述する。
【００２９】
図２は、本実施の形態に係る釣竿１Ａの構造を模式的に示す縦断面図である。図２に示される釣竿１Ａは、上記の一般化した記載との関連では、ｎ＝５及びｋ＝２の場合に該当する。即ち、釣竿１Ａに於いては、第（ｋ−１）番目の棒状パーツは第１番目の棒状パーツＰ１に該当し、第ｋ番目の棒状パーツは第２番目の棒状パーツＰ２に該当し、第（ｋ+１）番目の棒状パーツは第３番目の棒状パーツＰ３に該当する。
【００３０】
図２に於いて、第１番目の棒状パーツＰ１の円柱状の一端部Ｐ１Ａの外径（「第１外径」に該当。）は、直径Ｄ１である。この一端部Ｐ１Ａには、開孔部は何ら配設されてはいない。又、第１番目の棒状パーツＰ１の円柱状の他端部Ｐ１Ｂにも、開孔部は何ら配設されてはおらず、他端部Ｐ１Ｂの外径は直径Ｄ０である。そして、図２に例示される様に、第１番目の棒状パーツＰ１の他端部Ｐ１Ｂ寄りの側面上には、釣り糸用のリール２が配設されている。尚、図２に於いても、釣り糸は、図示の便宜上、表示されてはいない。
【００３１】
これに対して、釣竿１Ａの中核的構成要素である第２番目の棒状パーツＰ２は、次の構造を有する。即ち、第２番目の棒状パーツＰ２の円柱状の一端部Ｐ２Ａは、第１番目の棒状パーツＰ１の一端部Ｐ１Ａの外径Ｄ１より大きな外径（「第２外径」に該当。）Ｄ２を有する。本例では、この外径Ｄ２は、第１番目の棒状パーツＰ１の他端部Ｐ１Ｂの外径Ｄ０と同一に設定されているが、外径Ｄ０よりも大きな寸法に設定されていても良い。更に、一端部Ｐ２Ａには、外径Ｄ１と同一寸法の第１開孔径ＨＤ１を有する、非貫通の第１開孔部Ｈ１が配設されており、第１開孔部Ｈ１内には、第１番目の棒状パーツＰ１の一端部Ｐ１Ａの一部が、分離可能に嵌合されている。他方、第２番目の棒状パーツＰ２の円柱状の他端部Ｐ２Ｂは、一端部Ｐ２Ａの外径Ｄ２よりも大きな外径（「第３外径」に該当。）Ｄ３（＞Ｄ２）を有している。そして、他端部Ｐ２Ｂには、同部Ｐ２Ｂの表面より内部に向けて、第１開孔径ＨＤ１よりも大きな第２開孔径ＨＤ２を有する、非貫通の第２開孔部Ｈ２が、配設されている。図２に示される様に、一端部Ｐ２Ａの表面から他端部Ｐ２Ｂの表面までの、釣竿１Ａの長手方向に沿った長さは、長さＬである。
【００３２】
又、釣竿１Ａの第３番目の棒状パーツＰ３の円柱状の一端部Ｐ３Ａは、第２開孔径ＨＤ２と同一寸法の外径（「第４外径」に該当。）Ｄ４を有しており、一端部Ｐ３Ａの一部は、第２番目の棒状パーツＰ２の第２開孔部Ｈ２内に、離脱可能な状態で嵌合されている。しかも、一端部Ｐ３Ａには、同部Ｐ３Ａの表面より内部に向けて、第１番目の棒状パーツＰ１の一端部Ｐ１Ａが分離可能な状態で嵌合可能となる様に、外径Ｄ１と同一寸法の第３開孔径ＨＤ３を有する、非貫通の第３開孔部Ｈ３が、配設されている。他方、第３番目の棒状パーツＰ３の円柱状の他端部Ｐ３Ｂは、その表面より内部に向けて形成された、第４開孔部Ｈ４を有している。
【００３３】
更に、第４番目の棒状パーツＰ４の円柱状の一端部Ｐ４Ａの一部は、第３番目の棒状パーツＰ３の他端部Ｐ３Ｂの第４開孔部Ｈ４内に、分離可能な状態で、嵌合されている。更に、第５番目の棒状パーツＰ５の円柱状の一端部Ｐ５Ａの一部は、第４番目の棒状パーツＰ４の他端部Ｐ４Ｂに配設されている第５開孔部Ｈ５内に、分離可能な状態で、嵌合されている。そして、第５番目の棒状パーツＰ５の円柱状の他端部Ｐ５Ｂの先端部は、釣竿１Ａの先端部を成す。
【００３４】
図２に示される通り、釣竿１Ａの長手方向に於ける長さ寸法は、長さ１Ｌである。そして、第２番目の棒状パーツＰ２は、予め、その長さＬが種々の値から設定されて成る複数個の棒状パーツ群の中から、釣り人により、釣竿１Ａの使用時に選択される。その結果、長さＬが相互に頃なる複数の第２番目の棒状パーツ群の中からの第２番目の棒状パーツＰ２の選択・使用の状況に応じて、釣竿１Ａの長さ１Ｌは、その都度、調整される。
【００３５】
図２の状態に於いて、釣り人が、第２番目の棒状パーツＰ２を抜き取る場合を考える。この場合には、ＨＤ３＝Ｄ１の関係が成立するので、釣り人は、第１番目の棒状パーツＰ１の一端部Ｐ１Ａの一部を、第３番目の棒状パーツＰ３の一端部Ｐ３Ａの第３開孔部Ｈ３内に、着脱可能に嵌合することが出来る。この第１番目の棒状パーツＰ１の一端部Ｐ１Ａと第３番目の棒状パーツＰ３の一端部Ｐ３Ａとの間の嵌合・結合により、釣竿１Ａの長さ１Ｌは、当初の釣竿１Ａの長さよりも短い長さに、調整される。
【００３６】
図２の釣竿１Ａに於ける作用・効果は、図１の釣竿１に関して記載した上記の作用・効果と同様であり、便宜上、その記載を割愛する。
【００３７】
尚、図２の例に於いて、長さ寸法の一例を参考として示せば、次の通りである。即ち、Ｄ０＝５ｃｍ、Ｄ１＝４ｃｍ、Ｄ２＝５ｃｍ、Ｄ３＝６ｃｍ、Ｄ４＝５ｃｍ、（他端部Ｐ３Ｂの外径）＝４ｃｍ、（第４番目の棒状パーツＰ４の一端部Ｐ４Ａの外径）＝３ｃｍ、（他端部Ｐ４Ｂの外径）＝２ｃｍ、（第５番目の棒状パーツＰ５の一端部Ｐ５Ａの外径）＝１ｃｍ、及び、（他端部Ｐ５Ｂの外径）＝０．５ｃｍである。この一例に於いては、隣り合う外径同士間には、１ｃｍの長さの相違が、図１の参考例と同様に、設定されている。
【００３８】
（実施の形態３）
本実施の形態に係る棒状体もまた、その一例として、釣竿である。即ち、本実施の形態に係る釣竿は、第１番目の根元部（元竿）側から第ｎ番目（ｎは３以上の自然数。）の釣竿先端部側へ向けて順次に分離可能に嵌め込まれて成るｎ個の棒状パーツを備えている。そして、第（ｋ−１）番目（２≦ｋ≦（ｎ−１）の整数。）の棒状パーツは、第１開孔径の非貫通の第１開孔部が配設されている第１外径の一端部を有している。更に、第ｋ番目の棒状パーツは、第１外径より大きな第２外径を有し且つ第（ｋ−１）番目の棒状パーツの一端部が嵌合可能に第１外径と同一寸法の第２開孔径の非貫通の第２開孔部が配設されている一端部と、第２外径より小さく且つ第１開孔径よりも大きな第３外径を有すると共に、第１開孔径と同一寸法の第３開孔径の非貫通の第３開孔部が配設されている他端部とを有する。更に、第（ｋ+１）番目の棒状パーツは、第ｋ番目の棒状パーツの第３開孔部に嵌合可能に第３開孔径と同一寸法の第４外径を有する一端部を、有する。以下、これらの構造の特徴点を、図面に基づき、詳述する。
【００３９】
図３は、本実施の形態に係る釣竿１Ｂの構造を模式的に示す縦断面図である。図３に示される釣竿１Ｂは、上記の一般化した記載との関連では、ｎ＝４及びｋ＝２の場合に該当する。即ち、釣竿１Ｂに於いては、第（ｋ−１）番目の棒状パーツは第１番目の棒状パーツＰ１に該当し、第ｋ番目の棒状パーツは第２番目の棒状パーツＰ２に該当し、第（ｋ+１）番目の棒状パーツは第３番目の棒状パーツＰ３に該当する。本実施の形態では、既述した実施の形態１，２に係る第２番目の棒状パーツＰ２の形状とは異なり、釣竿１Ｂの第２番目の棒状パーツＰ２は、元竿側から竿の先端へ向けての長手方向に関して、外径が次第に小さくなる形状を有している。
【００４０】
先ず、図３に於いて、第１番目の棒状パーツＰ１の円柱状の一端部Ｐ１Ａは、外径（「第１外径」に該当。）Ｄ１を有しており、同部Ｐ１Ａには、その表面から内部に向けて、第１開孔径ＨＤ１の非貫通の第１開孔部Ｈ１が配設されている。他方、同パーツＰ１の円柱状の他端部Ｐ１Ｂは外径Ｄ０を有しているが、同部Ｐ１Ｂには、何ら開孔部は設けられていない。そして、図３に例示される様に、第１番目の棒状パーツＰ１の他端部Ｐ１Ｂ寄りの側面上には、釣り糸用のリール２が配設されている。尚、図３に於いても、釣り糸は、図示の便宜上、表示されてはいない。
【００４１】
これに対して、釣竿１Ｂの中核的構成要素である第２番目の棒状パーツＰ２は、次の構造を有する。即ち、第２番目の棒状パーツＰ２の内の円柱状の一端部Ｐ２Ａは、外径Ｄ１よりも大きな外径（「第２外径」に該当。）Ｄ２を有している。本例では、Ｄ２＝Ｄ０に設定されているが、これに限定されるものではなく、外径Ｄ２は外径Ｄ０よりも大きな寸法に設定されていても良い（Ｄ２＞Ｄ０）。そして、一端部Ｐ２Ａには、その表面より内部に向けて、一端部Ｐ１Ａの外径Ｄ１と同一寸法の第２開孔径ＨＤ２の非貫通の第２開孔部Ｈ２が配設されており、第１番目の棒状パーツＰ１の一端部Ｐ１Ａの一部は、分離可能な状態で、第２開孔径ＨＤ２内に嵌合されている。他方、第２番目の棒状パーツＰ２の円柱状の他端部Ｐ２Ｂは、外径Ｄ２より小さく且つ第１開孔径ＨＤ１よりも大きな外径（「第３外径」に該当。）Ｄ３を有する。本例では、外径Ｄ３は外径Ｄ１と同一寸法に設定されているが（Ｄ３＝Ｄ１）、外径Ｄ３は外径Ｄ１よりも大きく且つ外径Ｄ２よりも小さな寸法に設定されていても良い（Ｄ１＜Ｄ３＜Ｄ２）。そして、他端部Ｐ２Ｂには、その表明より内部に向けて、第１開孔径ＨＤ１と同一寸法の第３開孔径ＨＤ３の非貫通の第３開孔部Ｈ３が配設されている。図３に示される様に、第２番目の棒状パーツＰ２の一端部Ｐ２Ａの表面から他端部Ｐ２Ｂの表面までの、釣竿１Ｂの長手方向に沿った長さは、長さＬである。
【００４２】
又、第３番目の棒状パーツＰ３の内で、円柱状の一端部Ｐ３Ａは、第３開孔径ＨＤ３と同一寸法の外形（「第４外径」に該当。）Ｄ４を有する（Ｄ４＝ＨＤ３）。そして、一端部Ｐ３Ａの一部は、第２番目の棒状パーツＰ２の第３開孔部Ｈ３内に、分離可能な状態で、嵌合されている。他方、第３番目の棒状パーツＰ３の、円柱状の他端部Ｐ３Ｂは、外径Ｄ４よりも小さな外径を有すると共に、その表面から内部に向けて形成された、所定の深さの第４開孔部Ｈ４を有する。
【００４３】
更に、釣竿１Ｂの先端部分のパーツを成す第４番目の棒状パーツＰ４の円柱所の一端部Ｐ４Ａの一部は、第３番目の棒状パーツＰ３の第４開孔部Ｈ４内に、分離可能な状態で嵌合されている。そして、第４番目の棒状パーツＰ４の円柱所の他端部Ｐ４Ｂの表面は、釣竿１Ｂの先端部に該当する。
【００４４】
図３に示される通り、釣竿１Ｂの長手方向に於ける長さ寸法は、長さ１Ｌである。そして、第２番目の棒状パーツＰ２は、予め、その長さＬが種々の値から設定されて成る複数個の棒状パーツ群の中から、釣り人により、釣竿１Ｂの使用時に選択される。その結果、長さＬが相互に頃なる複数の第２番目の棒状パーツ群の中からの第２番目の棒状パーツＰ２の選択・使用の状況に応じて、釣竿１Ｂの長さ１Ｌは、その都度、調整される。
【００４５】
図３の状態に於いて、釣り人が、第２番目の棒状パーツＰ２を抜き取る場合を考える。この場合には、ＨＤ１＝Ｄ４の関係が成立するので、釣り人は、第３番目の棒状パーツＰ３の一端部Ｐ３Ａの一部を、第１番目の棒状パーツＰ１の一端部Ｐ１Ａの第１開孔部Ｈ１内に、着脱可能に嵌合することが出来る。この第１番目の棒状パーツＰ１の一端部Ｐ１Ａと第３番目の棒状パーツＰ３の一端部Ｐ３Ａとの間の嵌合・結合により、釣竿１Ｂの長さ１Ｌは、当初の釣竿１Ｂの長さよりも短い長さに、調整される。
【００４６】
図３の釣竿１Ｂに於ける作用・効果は、図１の釣竿１に関して記載した上記の作用・効果と同様であり、便宜上、その記載を割愛する。
【００４７】
尚、図３の一例に於いて、各外径の長さ寸法の一例を、参考として示せば、次の通りである。即ち、Ｄ０＝５ｃｍ、Ｄ１＝４ｃｍ、Ｄ２＝５ｃｍ、Ｄ３＝４ｃｍ、Ｄ４＝３ｃｍ、（第３番目の棒状パーツＰ３の他端部Ｐ３Ｂの外径）＝２ｃｍ、（第４番目の棒状パーツＰ４の一端部Ｐ４Ａの外径）＝１ｃｍ、及び、（同パーツＰ４の他端部Ｐ４Ｂの外径）＝０．５ｃｍである。この様に、当該一例に於いては、隣り合う外径同士間には、１ｃｍの長さの相違が、設定されている。
【００４８】
（変形例その１）
釣人は、実施の形態１乃至３の各第２番目の棒状パーツＰ２を、対応する釣竿より抜き取った後には、当該釣竿の「竿立て」の繋ぎ部品として、有効に用いることが可能である。その様な一例として、実施の形態１の図１に示された釣竿１の第２番目の棒状パーツＰ２が、釣竿１の竿立ての部品として利用される場合を、図４を参照して、以下に記載する。
【００４９】
図４は、図２の釣竿１より抜き取られた後の第２番目の棒状パーツＰ２を、その繋ぎ部品として有する竿立て３の構造を模式的に示す縦断面図である。図４に於いて、竿立て３の第１部分３Ａは、釣竿１がそこに立て掛けられて当該釣竿１を受け取る面である竿受け部分３Ｒを有しており、同部３Ａの底部分に形成された開孔部には、第２番目の棒状パーツＰ２の一端部Ｐ２Ａが分離可能に嵌合されている。他方、竿立て３の第２部分３Ｂは、同部３Ｂの先端部３ＢＴが地面に突き刺さられることで、当該地面に立設される部分であり、第２部分３Ｂの一端部の一部は、第２番目の棒状パーツＰ２の他端部Ｐ２Ｂの第３開孔部Ｈ３内に、分離可能に嵌合されている。
【００５０】
以上の様に、釣り人は、釣竿より抜き取られた後の第２番目の棒状パーツを、当該釣竿を立て掛けるための竿立ての構成部品として、有効に再利用することが出来る。
【００５１】
（変形例その２）
実施の形態１乃至３の各々に於いては、「棒状体」の好ましい一適応例として、釣竿が記載されたが、「棒状体」は釣竿への適用に限られる訳ではなく、その他の、長さ調整が可能で且つ変形等が容易に生じない強固な構造が求められる用具にも、一般的に適用可能である。例えば、本発明に係る「棒状体」は、梯子、洗濯物干し、棚又はテーブル等の家具の足部分等に、広く適用され得る。
【００５２】
（付記）
以上、本発明の実施の形態を詳細に開示し記述したが、以上の記述は本発明の適用可能な局面を例示したものであって、本発明はこれに限定されるものではない。即ち、記述した局面に対する様々な修正及び／又は変形例を、この発明の範囲から逸脱することの無い範囲内で考えることが可能である。
【産業上の利用可能性】
【００５３】
本発明は、釣竿・梯子・洗濯物干し棒又はテーブルの足等の家具の部品等の棒状体に適用して好適である。
【符号の説明】
【００５４】
１，１Ａ，１Ｂ  釣竿（棒状体）
Ｐ１  第１番目の棒状パーツ
Ｐ２  第２番目の棒状パーツ
Ｐ３  第３番目の棒状パーツ
Ｐ４  第４番目の棒状パーツ
Ｐ５  第５番目の棒状パーツ
２  リール
３  竿立て
【要約】
【課題】場所等に応じて臨機応変に容易に長さを調整出来且つ使用時に撓り等の変形又は破損が生じない、釣竿等の棒状体を実現する。
【解決手段】棒状パーツＰ２の一端部Ｐ２Ａの外形は直径Ｄ２（＜直径Ｄ１）であり、一端部Ｐ２Ａの一部は、棒状パーツＰ１の非貫通の開孔部Ｈ１内に離脱可能に嵌合されている。棒状パーツＰ２の他端部Ｐ２Ｂの外形Ｄ３は、一端部Ｐ２Ａの外形Ｄ２よりも大きい（Ｄ３＞Ｄ２）。棒状パーツＰ２の他端部Ｐ２Ｂには、外形Ｄ２と同一寸法の開孔径ＨＤ２を有する、非貫通の開孔部Ｈ２が配設されている。棒状パーツＰ３の一端部Ｐ３Ａの一部は、棒状パーツＰ２の開孔部Ｈ２内に離脱可能に嵌合されている。棒状パーツＰ２を抜き取って釣竿１の長さ１Ｌを短くする場合には、棒状パーツＰ３の一端部Ｐ３Ａの一部が、棒状パーツＰ１の開孔部Ｈ１内に離脱可能に嵌合される。
【選択図】図１【図１】
0005849380.tif 000002
【図２】
0005849380.tif 000003
【図３】
0005849380.tif 000004
【図４】
0005849380.tif 000005